(57)【特許請求の範囲】
【請求項１】
移動局が、無線基地局との間で、搬送波周波数が異なる主キャリア及び１つ又は複数の副キャリアを用いた通信を行う移動通信方法であって、
前記無線基地局が、前記移動局に対して、測定対象キャリア及び報告条件を含む測定制御情報を送信する工程Ａと、
前記移動局が、前記報告条件が満たされた場合、前記無線基地局に対して、前記測定対象キャリアにおける測定結果を含む測定報告を送信する工程Ｂとを有し、
前記工程Ｂにおいて、前記移動局は、所定期間、前記測定対象キャリア内の副キャリアのサービングセルにおける無線品質の測定値が、主キャリアのサービングセルにおける無線品質の測定値と所定オフセット値との和よりも小さい場合に、前記報告条件が満たされたと判定することを特徴とする移動通信方法。
【請求項２】
無線基地局との間で、搬送波周波数が異なる主キャリア及び１つ又は複数の副キャリアを用いた通信を行うことができるように構成されている移動局であって、
前記無線基地局から、測定対象キャリア及び報告条件を含む測定制御情報を受信するように構成されている受信部と、
前記報告条件が満たされた場合、前記無線基地局に対して、前記測定対象キャリアにおける測定結果を含む測定報告を送信するように構成されている送信部とを具備し、
前記送信部は、所定期間、前記測定対象キャリア内の副キャリアのサービングセルにおける無線品質の測定値が、主キャリアのサービングセルにおける無線品質の測定値と所定オフセット値との和よりも小さい場合に、前記報告条件が満たされたと判定するように構成されていることを特徴とする移動局。
【発明の詳細な説明】
【技術分野】
【０００１】
本発明は、移動通信方法、移動局及び無線基地局に関する。
【背景技術】
【０００２】
ＬＴＥ-Ａｄｖａｎｃｅｄ方式では、移動局ＵＥが、無線基地局ｅＮＢとの間で、搬送周波数（ＥＡＲＦＣＮ：Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）の異なるＰＣＣ（Ｐｒｉｍａｒｙ  Ｃｏｍｐｏｎｅｎｔ  Ｃａｒｒｉｅｒ）及び１つ又は複数のＳＣＣ（Ｓｅｃｏｎｄａｒｙ  Ｃｏｍｐｏｎｅｎｔ  Ｃａｒｒｉｅｒ）を用いてＣＡ（Ｃａｒｒｉｅｒ  Ａｇｇｒｉｇａｔｉｏｎ）通信を行うことができるように構成されている。
【先行技術文献】
【非特許文献】
【０００３】
【非特許文献１】３ＧＰＰ  ＴＳ３６.３３１  ｖ９.２.０
【発明の概要】
【発明が解決しようとする課題】
【０００４】
ここで、無線基地局ｅＮＢが、複数のＣＣに渡る「Ｊｏｉｎｔ  Ｓｃｈｅｄｕｌｉｎｇ」を行う場合、スケジューラが、なるべく無線品質の良いＣＣを選択してスケジューリングするため、無線品質の悪いＣＣは、「Ｐｒｏｐｏｒｔｉｏｎａｌ  Ｆａｉｒｎｅｓｓ」等の一般的なスケジューラが用いられた場合には、ほとんど選択されないため、ＣＡ通信において、このようなＣＣが用いられていると、無線基地局ｅＮＢにおけるスケジューリングの処理負荷（係数計算負荷）が増し、移動局ＵＥにおけるバッテリ負荷や処理負荷が増えてしまうという問題点があった。
【０００５】
また、無線基地局ｅＮＢが、ＣＣ毎の「Ｉｎｄｅｐｅｎｄｅｎｔ  Ｓｃｈｅｄｕｌｉｎｇ」を行う場合も、無線品質の悪いＣＣを追加しても、他の移動局ＵＥのリソースを奪うだけで、システム全体の効率を低下させてしまうという問題点があった。
【０００６】
そこで、本発明は、上述の課題に鑑みてなされたものであり、無線品質やネットワーク負荷に応じてＣＡ通信で用いるＣＣのマネージメントを適切に行うことができる移動通信方法、移動局及び無線基地局を提供することを目的とする。
【課題を解決するための手段】
【０００７】
本発明の第１の特徴は、移動局が、無線基地局との間で、搬送波周波数が異なる主キャリア及び１つ又は複数の副キャリアを用いた通信を行う移動通信方法であって、前記無線基地局が、前記移動局に対して、測定対象キャリア及び報告条件を含む測定制御情報を送信する工程Ａと、前記移動局が、前記報告条件が満たされた場合、前記無線基地局に対して、前記測定対象キャリアにおける測定結果を含む測定報告を送信する工程Ｂとを有し、前記工程Ｂにおいて、前記移動局は、所定期間、前記測定対象キャリア内の非サービングセルにおける無線品質の測定値が、該測定対象キャリア内のサービングセルにおける無線品質の測定値と所定オフセット値との和よりも大きい場合に、前記報告条件が満たされたと判定することを要旨とする。
【０００８】
本発明の第２の特徴は、移動局が、無線基地局との間で、搬送波周波数が異なる主キャリア及び１つ又は複数の副キャリアを用いた通信を行う移動通信方法であって、前記無線基地局が、前記移動局に対して、測定対象キャリア及び報告条件を含む測定制御情報を送信する工程Ａと、前記移動局が、前記報告条件が満たされた場合、前記無線基地局に対して、前記測定対象キャリアにおける測定結果を含む測定報告を送信する工程Ｂとを有し、前記工程Ｂにおいて、前記移動局は、所定期間、前記測定対象キャリア内の副キャリアのサービングセルにおける無線品質の測定値が、該測定対象キャリア内の主キャリアのサービングセルにおける無線品質の測定値と所定オフセット値との和よりも小さい場合に、前記報告条件が満たされたと判定することを要旨とする。
【０００９】
本発明の第３の特徴は、移動局が、無線基地局との間で、搬送波周波数が異なる主キャリア及び１つ又は複数の副キャリアを用いた通信を行う移動通信方法であって、前記無線基地局が、前記移動局に対して、測定対象キャリア及び報告条件を含む測定制御情報を送信する工程と、前記移動局が、前記報告条件が満たされた場合、前記無線基地局に対して、前記測定対象キャリアにおける測定結果を含む測定報告を送信する工程と、前記無線基地局が、前記測定報告に応じて、前記副キャリアの追加及び削除を行う工程と、前記無線基地局が、ネットワーク負荷に応じて、前記報告条件を変更する工程とを有することを要旨とする。
【００１０】
本発明の第４の特徴は、無線基地局との間で、搬送波周波数が異なる主キャリア及び１つ又は複数の副キャリアを用いた通信を行うことができるように構成されている移動局であって、前記無線基地局から、測定対象キャリア及び報告条件を含む測定制御情報を受信するように構成されている受信部と、前記報告条件が満たされた場合、前記無線基地局に対して、前記測定対象キャリアにおける測定結果を含む測定報告を送信するように構成されている送信部とを具備し、前記送信部は、所定期間、前記測定対象キャリア内の非サービングセルにおける無線品質の測定値が、該測定対象キャリア内のサービングセルにおける無線品質の測定値と所定オフセット値との和よりも大きい場合に、前記報告条件が満たされたと判定するように構成されていることを要旨とする。
【００１１】
本発明の第５の特徴は、無線基地局との間で、搬送波周波数が異なる主キャリア及び１つ又は複数の副キャリアを用いた通信を行うことができるように構成されている移動局であって、前記無線基地局から、測定対象キャリア及び報告条件を含む測定制御情報を受信するように構成されている受信部と、前記報告条件が満たされた場合、前記無線基地局に対して、前記測定対象キャリアにおける測定結果を含む測定報告を送信するように構成されている送信部とを具備し、前記送信部は、所定期間、前記測定対象キャリア内の副キャリアのサービングセルにおける無線品質の測定値が、該測定対象キャリア内の主キャリアのサービングセルにおける無線品質の測定値と所定オフセット値との和よりも小さい場合に、前記報告条件が満たされたと判定するように構成されていることを要旨とする。
【００１２】
本発明の第６の特徴は、移動局が、搬送波周波数が異なる主キャリア及び１つ又は複数の副キャリアを用いた通信を行うように構成されている移動通信システムで用いられる無線基地局であって、前記移動局に対して、測定対象キャリア及び報告条件を含む測定制御情報を送信するように構成されている送信部と、前記報告条件が満たされたと判定した前記移動局から、前記測定対象キャリアにおける測定結果を含む測定報告を受信するように構成されている受信部と、前記測定報告に応じて、前記副キャリアの追加及び削除を行うように構成されている制御部とを具備し、前記制御部は、ネットワーク負荷に応じて、前記報告条件を変更するように構成されていることを要旨とする。
【発明の効果】
【００１３】
以上説明したように、本発明によれば、ＣＡ通信において無線品質やネットワーク負荷に応じてＣＡ通信で用いるＣＣのマネージメントを適切に行うことができる移動通信方法、移動局及び無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける測定設定について説明するための図である。
【図４】本発明の第１の実施形態に係る移動通信システムにおけるＲｅｐｏｒｔＣｏｎｆｉｇについて説明するための図である。
【図５】本発明の第１の実施形態に係る移動通信システムにおけるＲｅｐｏｒｔＣｏｎｆｉｇについて説明するための図である。
【図６】本発明の第１の実施形態に係る移動局の機能ブロック図である。
【図７】本発明の第１の実施形態に係る移動局の動作を示すフローチャートである。
【図８】本発明の第１の実施形態に係る移動通信システムの動作を示すシーケンス図である。
【発明を実施するための形態】
【００１５】
（本発明の第１の実施形態に係る移動通信システム）
図１乃至図８を参照して、本発明の第１の実施形態に係る移動通信システムの構成について説明する。本実施形態に係る移動通信システムは、ＬＴＥ-Ａｄｖａｎｃｅｄ方式（ＬＴＥ  Ｒｅｌｅａｓｅ-１０方式）の移動通信システムである。
【００１６】
本実施形態に係る移動通信システムでは、移動局ＵＥは、搬送波周波数（ＥＡＲＦＣＮ）が異なるＰＣＣ及び１つ又は複数のＳＣＣを用いたＣＡ通信を行うことができるように構成されている。
【００１７】
図１に示すように、本実施形態に係る移動通信システムでは、ＣＡ通信において、ＥＡＲＦＣＮ＃１乃至ＥＡＲＦＣＮ＃５のＣＣを用いることができるように構成されている。
【００１８】
本実施形態に係る移動通信システムでは、図１に示すように、移動局ＵＥは、ＥＡＲＦＣＮ＃１のＣＣを「ＰＣＣ」とし、ＥＡＲＦＣＮ＃２のＣＣを「ＳＣＣ＃１」とし、ＥＡＲＦＣＮ＃３のＣＣを「ＳＣＣ＃２」として、ＣＡ通信を行っている。
【００１９】
ここで、移動局ＵＥのＰＣＣにおけるサービングセルは、「Ｐｃｅｌｌ」であり、移動局ＵＥのＳＣＣ＃１におけるサービングセルは、「Ｓｃｅｌｌ＃１」であり、移動局ＵＥのＳＣＣ＃２におけるサービングセルは、「Ｓｃｅｌｌ＃２」である。
【００２０】
図２に示すように、無線基地局ｅＮＢは、送信部１１と、受信部１２と、制御部１３とを具備している。
【００２１】
送信部１１は、移動局ＵＥに対して、下りリンク信号を受信するように構成されている。
【００２２】
例えば、無線基地局ｅＮＢが、移動局ＵＥに対して、「ＭｅａｓＯｂｊｅｃｔ」と「ＲｅｐｏｒｔＣｏｎｆｉｇ」と「ＭｅａｓＩＤ」とを含む「ＭｅａｓＣｏｎｆｉｇ」を送信するように構成されている。
【００２３】
ここで、「ＭｅａｓＯｂｊｅｃｔ」は、ＲＡＴ及び周波数によって測定対象キャリアを指定する情報であり、「ＲｅｐｏｒｔＣｏｎｆｉｇ」は、Ａ１〜Ａ７、Ｂ１〜Ｂ２といったイベントや、「Ｐｅｒｉｏｄｉｃａｌ」等といった「Ｍｅａｓｕｒｅｍｅｎｔ  Ｒｅｐｏｒｔ」の送信トリガを指定する情報である。
【００２４】
また、「ＭｅａｓＩｄ」は、図３に示すように、「ＭｅａｓＯｂｊｅｃｔ」と「ＲｅｐｏｒｔＣｏｎｆｉｇ」とをリンクする情報である。
【００２５】
なお、移動局ＵＥは、「ＭｅａｓＩｄ」によって「ＲｅｐｏｒｔＣｏｎｆｉｇ」に対応付けられている「ＭｅａｓＯｂｊｅｃｔ」における測定のみを行うように構成されている。
【００２６】
ここで、図４に、イベントＡ１〜Ａ７の一例について示す。
【００２７】
イベントＡ１は、「Ｓｅｒｖｉｎｇ＞Ｔｈｒｅｓｈ」が満たされることという送信トリガであり、「Ｓｅｒｖｉｎｇ」は、「ＭｅａｓＯｂｊｅｃｔ」上のＰｃｅｌｌやＳｃｅｌｌ＃１やＳｃｅｌｌ＃２におけるＲＳＲＰ（Ｒｅｆｅｒｅｎｃｅ  Ｓｉｇｎａｌ  Ｒｅｃｅｉｖｅｄ  Ｐｏｗｅｒ）又はＲＳＲＱ（Ｒｅｆｅｒｅｎｃｅ  Ｓｉｇｎａｌ  Ｒｅｃｅｉｖｅｄ  Ｑｕａｌｉｔｙ）であり、「Ｔｈｒｅｓｈ」は、所定閾値である。
【００２８】
「ＭｅａｓＯｂｊｅｃｔ」に、「Ｎｏｎ-ｃｏｎｆｉｇｕｒｅｄ  ｃｅｌｌ」が設定されている場合、イベントＡ１は、エラーとなる。
【００２９】
イベントＡ２は、「Ｓｅｒｖｉｎｇ＜Ｔｈｒｅｓｈ」が満たされることという送信トリガであり、「Ｓｅｒｖｉｎｇ」は、「ＭｅａｓＯｂｊｅｃｔ」上のＰｃｅｌｌやＳｃｅｌｌ＃１やＳｃｅｌｌ＃２におけるＲＳＲＰ又はＲＳＲＱであり、「Ｔｈｒｅｓｈ」は、所定閾値である。
【００３０】
「ＭｅａｓＯｂｊｅｃｔ」に、「Ｎｏｎ-ｃｏｎｆｉｇｕｒｅｄ  ｃｅｌｌ」が設定されている場合、イベントＡ２は、エラーとなる。
【００３１】
イベントＡ３は、「Ｎｅｉｇｈｂｏｕｒ＞Ｓｅｒｖｉｎｇ（Ｐｃｅｌｌ）＋Ｏｆｆｓｅｔ」が満たされることという送信トリガであり、「Ｓｅｒｖｉｎｇ（Ｐｃｅｌｌ）」は、「ＭｅａｓＯｂｊｅｃｔ」上のＰｃｅｌｌにおけるＲＳＲＰ又はＲＳＲＱであり、「Ｎｅｉｇｈｂｏｕｒ」は、「ＭｅａｓＯｂｊｅｃｔ」上のＰｃｅｌｌ以外のセルにおけるＲＳＲＰ又はＲＳＲＱであり、「Ｏｆｆｓｅｔ」は、所定オフセット値である。
【００３２】
ここで、「Ｎｅｉｇｈｂｏｕｒ」は、「ＭｅａｓＯｂｊｅｃｔ」上のＰｃｅｌｌやＳｃｅｌｌ＃１やＳｃｅｌｌ＃２以外のセルにおけるＲＳＲＰ又はＲＳＲＱであってもよい。
【００３３】
イベントＡ４は、「Ｎｅｉｇｈｂｏｕｒ＞Ｔｈｒｅｓｈ」が満たされることという送信トリガであり、「Ｎｅｉｇｈｂｏｕｒ」は、「ＭｅａｓＯｂｊｅｃｔ」上のＰｃｅｌｌやＳｃｅｌｌ＃１やＳｃｅｌｌ＃２以外のセルにおけるＲＳＲＰ又はＲＳＲＱであり、「Ｔｈｒｅｓｈ」は、所定閾値である。
【００３４】
イベントＡ５は、「Ｓｅｒｖｉｎｇ＜Ｔｈｒｅｓｈ１」及び「Ｎｅｉｇｈｂｏｕｒ＞Ｔｈｒｅｓｈ２」が満たされることという送信トリガであり、「Ｓｅｒｖｉｎｇ」は、「ＭｅａｓＯｂｊｅｃｔ」上のＰｃｅｌｌにおけるＲＳＲＰ又はＲＳＲＱであり、「Ｎｅｉｇｈｂｏｕｒ」は、「ＭｅａｓＯｂｊｅｃｔ」上のＰｃｅｌｌ以外のセルにおけるＲＳＲＰ又はＲＳＲＱであり、「Ｔｈｒｅｓｈ１」及び「Ｔｈｒｅｓｈ２」は、所定閾値である。
【００３５】
ここで、「Ｎｅｉｇｈｂｏｕｒ」は、「ＭｅａｓＯｂｊｅｃｔ」上のＰｃｅｌｌやＳｃｅｌｌ＃１やＳｃｅｌｌ＃２以外のセルにおけるＲＳＲＰ又はＲＳＲＱであってもよい。
【００３６】
イベントＡ６は、「Ｎｅｉｇｈｂｏｕｒ＞Ｓｅｒｖｉｎｇ＋Ｏｆｆｓｅｔ」が満たされることという送信トリガであり、「Ｓｅｒｖｉｎｇ」は、「ＭｅａｓＯｂｊｅｃｔ」上のＰｃｅｌｌやＳｃｅｌｌ＃１やＳｃｅｌｌ＃２におけるＲＳＲＰ又はＲＳＲＱであり、「Ｎｅｉｇｈｂｏｕｒ」は、「ＭｅａｓＯｂｊｅｃｔ」上のＰｃｅｌｌやＳｃｅｌｌ＃１やＳｃｅｌｌ＃２以外のセル（非サービングセル）におけるＲＳＲＰ又はＲＳＲＱであり、「Ｏｆｆｓｅｔ」は、所定オフセット値である。
【００３７】
ここで、「Ｓｅｒｖｉｎｇ」及び「Ｎｅｉｇｈｂｏｕｒ」は、「ＭｅａｓＯｂｊｅｃｔ」で指定される同一ＣＣ内のセルにおけるＲＳＲＰ又はＲＳＲＱである。
【００３８】
イベントＡ７は、「Ｎｅｉｇｈｂｏｕｒ（Ｓｃｅｌｌ）＞Ｓｅｒｖｉｎｇ（Ｐｃｅｌｌ）＋Ｏｆｆｓｅｔ」が満たされることという送信トリガであり、「Ｓｅｒｖｉｎｇ（Ｐｃｅｌｌ）」は、「ＭｅａｓＯｂｊｅｃｔ」上のＰｃｅｌｌにおけるＲＳＲＰ又はＲＳＲＱであり、「Ｎｅｉｇｈｂｏｕｒ（Ｓｃｅｌｌ）」は、「ＭｅａｓＯｂｊｅｃｔ」上のＳｃｅｌｌ＃１やＳｃｅｌｌ＃２におけるＲＳＲＰ又はＲＳＲＱであり、「Ｏｆｆｓｅｔ」は、所定オフセット値である。
【００３９】
なお、イベントＡ７は、図５に示すように、「Ｎｅｉｇｈｂｏｕｒ（ａｎｙ  ｃｅｌｌ）＞Ｓｅｒｖｉｎｇ（Ｐｃｅｌｌ）＋Ｏｆｆｓｅｔ」が満たされることという送信トリガであってもよい。
【００４０】
かかる場合、Ｎｅｉｇｈｂｏｕｒ（ａｎｙ  ｃｅｌｌ）は、「ＭｅａｓＯｂｊｅｃｔ」上のＰｃｅｌｌ以外のセルにおけるＲＳＲＰ又はＲＳＲＱである。
なお、前記イベントＡ１〜Ａ７は、かかる条件が所定期間満たされ続けた場合に「ＭｅａｓＲｅｐｏｒｔ」の送信がトリガされるように規定されていてもよい。かかる所定期間は、無線基地局ｅＮＢから移動局ＵＥに対して設定されてもよく、「ＲｅｐｏｒｔＣｏｎｆｉｇ」毎に設定されてもよい。
【００４１】
受信部１２は、移動局ＵＥから、上りリンク信号を受信するように構成されている。
【００４２】
例えば、受信部１２は、移動局ＵＥから、「ＭｅａｓＯｂｊｅｃｔ」における測定結果を含む「Ｍｅａｓｕｒｅｍｅｎｔ  Ｒｅｐｏｒｔ」を受信するように構成されている。
【００４３】
制御部１３は、移動局ＵＥによるＣＡ通信に係る制御を行うように構成されている。例えば、制御部１３は、後述するように、ネットワーク負荷に応じて、「ＲｅｐｏｒｔＣｏｎｆｉｇ」を変更するように構成されている。
【００４４】
また、制御部１３は、受信部１２によって受信された「Ｍｅａｓｕｒｅｍｅｎｔ  Ｒｅｐｏｒｔ」に基づいて、ＲＲＣレイヤにおいて、ＲＲＣメッセージ（例えば、「ＲＲＣ  Ｒｅｃｏｎｆｉｇｕｒａｔｉｏｎ」メッセージ等）を用いて、ＣＡ通信を行っている移動局ＵＥに対して、新規のＣＣの追加や、既存のＣＣの削除や、ＰＣＣの変更を指示することができるように構成されている。
【００４５】
図６に示すように、移動局ＵＥは、受信部２１と、測定部２２と、送信部２３とを具備している。
【００４６】
受信部２１は、無線基地局ｅＮＢから、「ＭｅａｓＯｂｊｅｃｔ」及び「ＲｅｐｏｒｔＣｏｎｆｉｇ-Ａ７」を含む「ＭｅａｓＣｏｎｆｉｇ」を受信するように構成されている。
【００４７】
測定部２２は、「ＭｅａｓＣｏｎｆｉｇ」によって指定されている「ＭｅａｓＯｂｊｅｃｔ」における測定処理を行うように構成されている。
【００４８】
送信部２３は、「ＭｅａｓＣｏｎｆｉｇ」によって指定されている「ＲｅｐｏｒｔＣｏｎｆｉｇ」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ」を送信するように構成されている。
【００４９】
以下、図７及び図８を参照して、本実施形態に係る移動通信システムの動作について説明する。
【００５０】
第１に、図７を参照して、本実施形態に係る無線基地局ｅＮＢの動作について説明する。
【００５１】
図７に示すように、無線基地局ｅＮＢは、ステップＳ１０１において、「閾値１」に「閾値１ａ」を設定し、「閾値２」に「閾値２ａ（＜閾値１ａ）」を設定し、ステップＳ１０２において、ネットワーク負荷を測定する。
【００５２】
ここで、無線基地局ｅＮＢは、ネットワーク負荷として、ＲＲＣ_Ｃｏｎｎｅｃｔｅｄ状態の移動局ＵＥの数や、バッファに蓄積されているデータ量や、上りリンクにおける干渉量や、下りリンクにおける送信電力量や、リソース利用率等を測定する。
【００５３】
無線基地局ｅＮＢは、ステップＳ１０３において、ネットワーク負荷が閾値１よりも大きいと判断した場合、ステップＳ１０４において、「閾値１」に「閾値１ａ」を設定し、ステップＳ１０５において、イベントＡ７に係る「Ｍｅａｓｕｒｅｍｅｎｔ  Ｒｅｐｏｒｔ」に基づいて、削除すべきＣＣ（ＳＣＣ）を決定する。
【００５４】
なお、ステップＳ１０５では、無線基地局ｅＮＢは、ＣＣ（ＳＣＣ）を追加しない。
【００５５】
一方、無線基地局ｅＮＢは、ステップＳ１０３において、ネットワーク負荷が閾値１よりも大きくないと判断した場合、ステップＳ１０６において、「閾値１」に「閾値１ｂ（≧閾値１ａ）」を設定する。
【００５６】
無線基地局ｅＮＢは、ステップＳ１０７において、ネットワーク負荷が閾値２よりも大きいと判断した場合、ステップＳ１０８において、「閾値２」に「閾値２ａ」を設定し、ステップＳ１０９において、イベントＡ７に係る「Ｍｅａｓｕｒｅｍｅｎｔ  Ｒｅｐｏｒｔ」に基づいて、削除すべきＣＣ（ＳＣＣ）を決定し、イベントＡ３に係る「Ｍｅａｓｕｒｅｍｅｎｔ  Ｒｅｐｏｒｔ」に基づいて、追加すべきＣＣ（ＳＣＣ）を決定する。
【００５７】
一方、無線基地局ｅＮＢは、ステップＳ１０７において、ネットワーク負荷が閾値２よりも大きくないと判断した場合、ステップＳ１１０において、「閾値２」に「閾値２ｂ（≧閾値２ａ、＜閾値１ａ）」を設定し、ステップＳ１１１において、イベントＡ２に係る「Ｍｅａｓｕｒｅｍｅｎｔ  Ｒｅｐｏｒｔ」に基づいて、削除すべきＣＣ（ＳＣＣ）を決定し、イベントＡ４に係る「Ｍｅａｓｕｒｅｍｅｎｔ  Ｒｅｐｏｒｔ」に基づいて、追加すべきＣＣ（ＳＣＣ）を決定する。
【００５８】
ここで、イベントＡ３における「Ｏｆｆｓｅｔ」及びイベントＡ７における「Ｏｆｆｓｅｔ」は、それぞれ、ネットワーク負荷によって算出される負の値であり、「イベントＡ３における「Ｏｆｆｓｅｔ」＞イベントＡ７における「Ｏｆｆｓｅｔ」」の関係が成立する。
【００５９】
例えば、イベントＡ３における「Ｏｆｆｓｅｔ」及びイベントＡ７における「Ｏｆｆｓｅｔ」は、以下の式によって算出されてもよい。
（イベントＡ３における「Ｏｆｆｓｅｔ」）＝ａ３＋ｒ３×（ネットワーク負荷）
（イベントＡ７における「Ｏｆｆｓｅｔ」）＝ａ７＋ｒ７×（ネットワーク負荷）
【００６０】
ここで、ａ３及びａ７は、負の値であり、ｒ３及びｒ７は、生の値である。
【００６１】
また、「閾値１ａ/１ｂ/２ａ/２ｂ」は、使用されるイベントの種類が頻繁に切り替わる事態を避けるためのヒステリシスである。
【００６２】
第２に、図８を参照して、本実施形態に係る移動通信システムの動作について説明する。
【００６３】
図８に示すように、Ｓｃｅｌｌが設定されていない場合には、ステップＳ１００１において、無線基地局ｅＮＢと移動局ＵＥとの間で、Ｐｃｅｌｌにおいて、ＲＲＣコネクションを確立し、ステップＳ１００２において、無線基地局ｅＮＢが、移動局ＵＥに対して、「ＭｅａｓＣｏｎｆｉｇ」を含む「ＲＲＣ  Ｃｏｎｎｅｃｔｉｏｎ  Ｒｅｃｏｎｆｉｇｕｒａｔｉｏｎ」を送信する。
【００６４】
ここで、「ＭｅａｓＣｏｎｆｉｇ」は、Ｐｃｅｌｌを切り替える際に用いるイベントＡ３を指定する「ＲｅｐｏｒｔＣｏｎｆｉｇ」及びＳｃｅｌｌを追加する際に用いるイベントＡ３（又は、Ａ４）を指定する「ＲｅｐｏｒｔＣｏｎｆｉｇ」を追加するように指示する。
【００６５】
Ｐｃｅｌｌを切り替える際に用いるイベントＡ３では、「Ｎｅｉｇｈｂｏｕｒ」を、ＰＣＣにおけるＰｃｅｌｌ以外のセル（非サービングセル）のＲＳＲＰ/ＲＳＲＱとし、Ｓｃｅｌｌを追加する際に用いるイベントＡ３（又は、Ａ４）では、「Ｎｅｉｇｈｂｏｕｒ」を、Ｎｏｎ-ｃｏｎｆｉｇｕｒｅｄ  ｃｅｌｌのＲＳＲＰ/ＲＳＲＱとする。
【００６６】
ステップＳ１００３において、移動局ＵＥは、「ＭｅａｓＣｏｎｆｉｇ」に基づく設定を行った後、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６７】
ステップＳ１００４において、移動局ＵＥは、無線基地局ｅＮＢに対して、イベントＡ３（又は、Ａ４）に係る「Ｍｅａｓｕｒｅｍｅｎｔ  Ｒｅｐｏｒｔ」を送信する。
【００６８】
ステップＳ１００５において、無線基地局ｅＮＢは、イベントＡ３（又は、Ａ４）に係る「Ｍｅａｓｕｒｅｍｅｎｔ  Ｒｅｐｏｒｔ」に基づいて、追加すべきＳｃｅｌｌ（ＳＣＣ）を決定し、移動局ＵＥに対して、かかるＳｃｅｌｌ（ＳＣＣ）の追加を指示する「ＲＲＣ  Ｃｏｎｎｅｃｔｉｏｎ  Ｒｅｃｏｎｆｉｇｕｒａｔｉｏｎ」を送信する。
【００６９】
ここで、無線基地局ｅＮＢは、かかる「ＲＲＣ  Ｃｏｎｎｅｃｔｉｏｎ  Ｒｅｃｏｎｆｉｇｕｒａｔｉｏｎ」内の「ＭｅａｓＣｏｎｆｉｇ」によって、Ｓｃｅｌｌを追加する際に用いるイベントＡ３（又は、Ａ４）を指定する「ＲｅｐｏｒｔＣｏｎｆｉｇ」を削除するように指示すると共に、Ｓｃｅｌｌを切り替える際に用いるイベントＡ６を指定する「ＲｅｐｏｒｔＣｏｎｆｉｇ」及びＳｃｅｌｌを削除する際に用いるイベントＡ７（又は、Ａ２）を指定する「ＲｅｐｏｒｔＣｏｎｆｉｇ」を追加するように指示する。
【００７０】
Ｓｃｅｌｌを切り替える際に用いるイベントＡ６では、「Ｓｅｒｖｉｎｇ」を、ＳＣＣにおけるＳｃｅｌｌのＲＳＲＰ/ＲＳＲＱとし、「Ｎｅｉｇｈｂｏｕｒ」を、かかるＳＣＣにおけるＳｃｅｌｌ以外のセル（非サービングセル）のＲＳＲＰ/ＲＳＲＱとする。
【００７１】
また、Ｓｃｅｌｌを削除する際に用いるイベントＡ７では、「Ｓｅｒｖｉｎｇ」を、ＰｃｅｌｌのＲＳＲＰ/ＲＳＲＱとし、「Ｎｅｉｇｈｂｏｕｒ」を、ＳｃｅｌｌのＲＳＲＰ/ＲＳＲＱとし、Ｓｃｅｌｌを削除する際に用いるイベントＡ２では、「Ｓｅｒｖｉｎｇ」を、ＳｃｅｌｌのＲＳＲＰ/ＲＳＲＱとする。
【００７２】
ステップＳ１００６において、移動局ＵＥは、「ＭｅａｓＣｏｎｆｉｇ」に基づく設定を行った後、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７３】
ステップＳ１００７において、移動局ＵＥは、無線基地局ｅＮＢに対して、イベントＡ７（又は、Ａ２）に係る「Ｍｅａｓｕｒｅｍｅｎｔ  Ｒｅｐｏｒｔ」を送信する。
【００７４】
ステップＳ１００８において、無線基地局ｅＮＢは、イベントＡ７（又は、Ａ２）に係る「Ｍｅａｓｕｒｅｍｅｎｔ  Ｒｅｐｏｒｔ」に基づいて、削除すべきＳｃｅｌｌ（ＳＣＣ）を決定し、移動局ＵＥに対して、かかるＳｃｅｌｌ（ＳＣＣ）の削除を指示する「ＲＲＣ  Ｃｏｎｎｅｃｔｉｏｎ  Ｒｅｃｏｎｆｉｇｕｒａｔｉｏｎ」を送信する。
【００７５】
ここで、無線基地局ｅＮＢは、かかる「ＲＲＣ  Ｃｏｎｎｅｃｔｉｏｎ  Ｒｅｃｏｎｆｉｇｕｒａｔｉｏｎ」内の「ＭｅａｓＣｏｎｆｉｇ」によって、Ｓｃｅｌｌを切り替える際に用いるイベントＡ６を指定する「ＲｅｐｏｒｔＣｏｎｆｉｇ」及びＳｃｅｌｌを削除する際に用いるイベントＡ７（又は、Ａ２）を指定する「ＲｅｐｏｒｔＣｏｎｆｉｇ」を削除するように指示すると共に、Ｓｃｅｌｌを追加する際に用いるイベントＡ３（又は、Ａ４）を指定する「ＲｅｐｏｒｔＣｏｎｆｉｇ」を追加するように指示する。
【００７６】
ステップＳ１００９において、移動局ＵＥは、「ＭｅａｓＣｏｎｆｉｇ」に基づく設定を行った後、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７７】
本実施形態に係る移動通信システムによれば、無線基地局ｅＮＢは、移動局ＵＥによって送信された「Ｍｅａｓｕｒｅｍｅｎｔ  Ｒｅｐｏｒｔ」に基づいて、ＳＣＣの追加及び削除や、ＰＣＣの切り替えを行うことができるため、ＣＡ通信において無線品質の悪いＣＣを用いることを回避することができ、無線品質やネットワーク負荷に応じてＣＣのマネージメントを適切に行うことができる。
【００７８】
以上に述べた本実施形態の特徴は、以下のように表現されていてもよい。
【００７９】
本実施形態の第１の特徴は、移動局ＵＥが、無線基地局ｅＮＢとの間で、搬送波周波数が異なるＰＣＣ（主キャリア）及び１つ又は複数のＳＣＣ（副キャリア）を用いたＣＡ通信を行う移動通信方法であって、無線基地局ｅＮＢが、移動局ＵＥに対して、「ＭｅａｓＯｂｊｅｃｔ（測定対象キャリア）」及び「ＲｅｐｏｒｔＣｏｎｆｉｇ-Ａ６（報告条件）」を含む「ＭｅａｓＣｏｎｆｉｇ（測定制御情報）」を送信する工程Ａと、移動局ＵＥが、「ＲｅｐｏｒｔＣｏｎｆｉｇ-Ａ６」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ（測定報告）」を送信する工程Ｂとを有し、工程Ｂにおいて、移動局ＵＥは、所定期間（Ｔｉｍｅ-Ｔｏ-Ｔｒｉｇｇｅｒ）、「ＭｅａｓＯｂｊｅｃｔ」内のＰＣＣ又はＳＣＣの非サービングセルにおけるＲＳＲＰ/ＲＳＲＱ（無線品質の測定値）が、「ＭｅａｓＯｂｊｅｃｔ」内のＰＣＣ又はＳＣＣのサービングセルにおけるＲＳＲＰ/ＲＳＲＱと所定オフセット値（Ｏｆｆｓｅｔ）との和よりも大きい場合に、ＲｅｐｏｒｔＣｏｎｆｉｇ-Ａ６」が満たされたと判定することを要旨とする。
【００８０】
本実施形態の第２の特徴は、移動局ＵＥが、無線基地局ｅＮＢとの間で、搬送波周波数が異なるＰＣＣ及び１つ又は複数のＳＣＣを用いたＣＡ通信を行う移動通信方法であって、無線基地局ｅＮＢが、移動局ＵＥに対して、「ＭｅａｓＯｂｊｅｃｔ」及び「ＲｅｐｏｒｔＣｏｎｆｉｇ-Ａ７」を含む「ＭｅａｓＣｏｎｆｉｇ」を送信する工程Ａと、移動局ＵＥが、「ＲｅｐｏｒｔＣｏｎｆｉｇ-Ａ７」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ」を送信する工程Ｂとを有し、工程Ｂにおいて、移動局ＵＥは、所定期間（Ｔｉｍｅ-Ｔｏ-Ｔｒｉｇｇｅｒ）、「ＭｅａｓＯｂｊｅｃｔ」内のＳｃｅｌｌにおけるＲＳＲＰ/ＲＳＲＱが、「ＭｅａｓＯｂｊｅｃｔ」内のＰｃｅｌｌ（主キャリアのサービングセル）におけるＲＳＲＰ/ＲＳＲＱと所定オフセット値（Ｏｆｆｓｅｔ）との和よりも小さい場合に、「ＲｅｐｏｒｔＣｏｎｆｉｇ-Ａ７」が満たされたと判定することを要旨とする。
【００８１】
本実施形態の第３の特徴は、移動局ＵＥが、無線基地局ｅＮＢとの間で、搬送波周波数が異なるＰＣＣ及び１つ又は複数のＳＣＣを用いたＣＡ通信を行う移動通信方法であって、無線基地局ｅＮＢが、移動局ＵＥに対して、「ＭｅａｓＯｂｊｅｃｔ」及び「ＲｅｐｏｒｔＣｏｎｆｉｇ」を含む「ＭｅａｓＣｏｎｆｉｇ」を送信する工程と、移動局ＵＥが、「ＲｅｐｏｒｔＣｏｎｆｉｇ」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ」を送信する工程と、無線基地局ｅＮＢが、「Ｍｅａｓｕｒｅｍｅｎｔ  Ｒｅｐｏｒｔ」に応じて、ＳＣＣの追加及び削除を行う工程と、無線基地局ｅＮＢが、ネットワーク負荷に応じて、「ＲｅｐｏｒｔＣｏｎｆｉｇ」を変更する工程とを有することを要旨とする。
【００８２】
本実施形態の第４の特徴は、無線基地局ｅＮＢとの間で、搬送波周波数が異なるＰＣＣ及び１つ又は複数のＳＣＣを用いたＣＡ通信を行うことができるように構成されている移動局であって、無線基地局ｅＮＢから、「ＭｅａｓＯｂｊｅｃｔ」及び「ＲｅｐｏｒｔＣｏｎｆｉｇ-Ａ６」を含む「ＭｅａｓＣｏｎｆｉｇ」を受信するように構成されている受信部２１と、「ＲｅｐｏｒｔＣｏｎｆｉｇ-Ａ６」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ」を送信するように構成されている送信部２３とを具備し、送信部２３は、所定期間（Ｔｉｍｅ-Ｔｏ-Ｔｒｉｇｇｅｒ）、「ＭｅａｓＯｂｊｅｃｔ」内のＰＣＣ又はＳＣＣの非サービングセルにおけるＲＳＲＰ/ＲＳＲＱが、「ＭｅａｓＯｂｊｅｃｔ」内のＰＣＣ又はＳＣＣのサービングセルにおけるＲＳＲＰ/ＲＳＲＱと所定オフセット値（Ｏｆｆｓｅｔ）との和よりも大きい場合に、「ＲｅｐｏｒｔＣｏｎｆｉｇ-Ａ６」が満たされたと判定するように構成されていることを要旨とする。
【００８３】
本実施形態の第５の特徴は、無線基地局ｅＮＢとの間で、搬送波周波数が異なるＰＣＣ及び１つ又は複数のＳＣＣを用いたＣＡ通信を行うことができるように構成されている移動局であって、無線基地局ｅＮＢから、「ＭｅａｓＯｂｊｅｃｔ」及び「ＲｅｐｏｒｔＣｏｎｆｉｇ-Ａ７」を含む「ＭｅａｓＣｏｎｆｉｇ」を受信するように構成されている受信部２１と、「ＲｅｐｏｒｔＣｏｎｆｉｇ-Ａ７」が満たされた場合、無線基地局ｅＮＢに対して、「ＭｅａｓＯｂｊｅｃｔ」における測定結果を含む「Ｍｅａｓｕｒｅｍｅｎｔ  Ｒｅｐｏｒｔ」を送信するように構成されている送信部２３とを具備し、送信部２３は、所定期間（Ｔｉｍｅ-Ｔｏ-Ｔｒｉｇｇｅｒ）、「ＭｅａｓＯｂｊｅｃｔ」内のＳｃｅｌｌにおけるＲＳＲＰ/ＲＳＲＱが、「ＭｅａｓＯｂｊｅｃｔ」内のＰｃｅｌｌにおけるＲＳＲＰ/ＲＳＲＱと所定オフセット値（Ｏｆｆｓｅｔ）との和よりも小さい場合に、「ＲｅｐｏｒｔＣｏｎｆｉｇ-Ａ７」が満たされたと判定するように構成されていることを要旨とする。
【００８４】
本実施形態の第６の特徴は、移動局ＵＥが、搬送波周波数が異なるＰＣＣ及び１つ又は複数のＳＣＣを用いたＣＡ通信を行うように構成されている移動通信システムで用いられる無線基地局ｅＮＢであって、移動局ＵＥに対して、「ＭｅａｓＯｂｊｅｃｔ」及び「ＲｅｐｏｒｔＣｏｎｆｉｇ」を含む「ＭｅａｓＣｏｎｆｉｇ」を送信するように構成されている送信部１１と、「ＲｅｐｏｒｔＣｏｎｆｉｇ」が満たされたと判定した移動局ＵＥから、「ＭｅａｓＯｂｊｅｃｔ」における測定結果を含む「Ｍｅａｓｕｒｅｍｅｎｔ  Ｒｅｐｏｒｔ」を受信するように構成されている受信部１２と、「Ｍｅａｓｕｒｅｍｅｎｔ  Ｒｅｐｏｒｔ」に応じて、ＳＣＣの追加及び削除を行うように構成されている制御部１３とを具備し、制御部１３は、ネットワーク負荷に応じて、「ＲｅｐｏｒｔＣｏｎｆｉｇ」を変更するように構成されていることを要旨とする。
【００８５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
ｅＮＢ…無線基地局
ＵＥ…移動局
１１、２１…受信部
１２、２３…送信部
１３…制御部
２２…測定部
【図１】
0005474003.tif 000002
【図２】
0005474003.tif 000003
【図３】
0005474003.tif 000004
【図４】
0005474003.tif 000005
【図５】
0005474003.tif 000006
【図６】
0005474003.tif 000007
【図７】
0005474003.tif 000008
【図８】
0005474003.tif 000009